(57)【要約】【課題】移動局が基地局に対して送信する位置登録要求を適切に制御することにより、位置登録によるトラヒックの増大を抑制することが可能な移動局、及び移動局の位置登録要求送信制御方法を提供する。【解決手段】基地局５と通信可能な移動局３であって、他の移動局３から送信される基地局５の通信状況に関する情報を取得し、取得した基地局５の通信状況に関する情報に基づいて、該基地局５に対する位置登録要求の送信を制御する制御部35を備える。【選択図】図２
2014165537.tif 000002
【特許請求の範囲】
【請求項１】
基地局と通信可能な移動局であって、
他の移動局から送信される前記基地局の通信状況に関する情報を取得し、取得した前記基地局の通信状況に関する情報に基づいて、該基地局に対する位置登録要求の送信を制御する制御部を備えることを特徴とする移動局。
【請求項２】
前記通信状況に関する情報は、該基地局の無線リソースの空き容量に関する情報を含み、
前記制御部は、前記空き容量に基づいて前記基地局に対する位置登録要求の送信を制御する、請求項１に記載の移動局。
【請求項３】
前記制御部は、前記他の移動局から前記基地局の通信状況に関する情報を取得していない場合、前記基地局に対して位置登録要求の送信を行う、請求項１又は２に記載の移動局。
【請求項４】
前記制御部は、前記基地局に対して位置登録要求の送信を行うと、該基地局から、前記基地局の通信状況に関する情報を取得する、請求項１〜３の何れか一項に記載の移動局。
【請求項５】
前記制御部は、前記基地局から、前記基地局の通信状況に関する情報を取得すると、他の移動局に対して、取得した通信状況に関する情報の送信を行う、請求項４に記載の移動局。
【請求項６】
移動局の位置登録要求送信制御方法において、
他の移動局から送信される基地局の通信状況に関する情報を取得するステップと、取得した前記基地局の通信状況に関する情報に基づいて、該基地局に対する位置登録要求の送信を制御するステップと、を含むことを特徴とする移動局の位置登録要求送信制御方法。
【発明の詳細な説明】
【技術分野】
【０００１】
本発明は、移動局、及び移動局の位置登録要求送信制御方法に関し、特には、移動局が基地局に対して送信する位置登録要求を適切に制御して、トラヒックの増大を抑制する技術に関する。
【背景技術】
【０００２】
移動通信システムにおいて、携帯電話端末等の移動局は、無線基地局（以下、単に「基地局」という。）に対して位置登録要求を送信して位置登録を行い、着信呼出要求に備えている。このような移動局の位置登録要求は、通常、異なる基地局のエリアに移動する度に行われる。
【０００３】
上記のような通信システムにおいて、例えば、複数の移動局が一斉に圏外から圏内に移動した場合、基地局が故障や災害から復旧した場合、イベント用の移動基地局を開設した場合等においては、多数の移動局が、一つの基地局に対して一斉に位置登録要求を送信することがある。この場合、当該基地局のトラヒックが急激に増大するため、処理負荷が大きくなるという問題があった。
【０００４】
上記のようなトラヒックの増大を抑制する方法として、例えば特許文献１には、通信端末（移動局）が、高速移動状態から低速移動・停止状態に移行した際に行う位置登録要求を、所定時間だけ遅延させる技術が記載されている。
また、特許文献２には、移動局から位置登録要求が行われた際に、基地局で位置登録要求を受付けするか位置登録要求を破棄するかを判断することで、トラヒックの抑制を行う技術が記載されている。
【先行技術文献】
【特許文献】
【０００５】
【特許文献１】特開２０００−１９７１０２号公報
【特許文献２】特開２０１０−４１４６１号公報
【発明の概要】
【発明が解決しようとする課題】
【０００６】
しかしながら、上記特許文献１に記載の技術では、各通信端末が位置登録要求を遅延させたとしても、所定遅延時間後に行われる位置登録要求が、他の多数の端末と同じタイミングで行われる場合には、トラヒックの増大を抑制することが困難である。また、特許文献２に記載の技術では、移動局から基地局へ送信する位置登録要求自体を抑制することはできないため、多数の移動局から位置登録要求が一斉に行われる場合には、位置登録要求自体のトラヒックの増大を抑制することができない。
【０００７】
従って、上記のような問題点に鑑みてなされた本発明の目的は、移動局が基地局に対して送信する位置登録要求を適切に制御することにより、位置登録によるトラヒックの増大を抑制することが可能な移動局、及び移動局の位置登録要求送信制御方法を提供することである。
【課題を解決するための手段】
【０００８】
上記課題を解決するため、本発明に係る移動局は、基地局と通信可能な移動局であって、他の移動局から送信される前記基地局の通信状況に関する情報を取得し、取得した前記基地局の通信状況に関する情報に基づいて、該基地局に対する位置登録要求の送信を制御する制御部を備えることを特徴とする。
【０００９】
また本発明に係る移動局は、前記通信状況に関する情報は、該基地局の無線リソースの空き容量に関する情報を含み、前記制御部は、前記空き容量に基づいて前記基地局に対する位置登録要求の送信を制御することが好ましい。
【００１０】
また本発明に係る移動局は、前記制御部は、前記他の移動局から前記基地局の通信状況に関する情報を取得していない場合、前記基地局に対して位置登録要求の送信を行うことが好ましい。
【００１１】
また本発明に係る移動局は、前記制御部は、前記基地局に対して位置登録要求の送信を行うと、該基地局から、前記基地局の通信状況に関する情報を取得することが好ましい。
【００１２】
また本発明に係る移動局は、前記制御部は、前記基地局から、前記基地局の通信状況に関する情報を取得すると、他の移動局に対して、取得した通信状況に関する情報の送信を行うことが好ましい。
【００１３】
また、上記課題を解決するため、本発明に係る移動局の位置登録要求送信制御方法は、移動局の位置登録要求送信制御方法において、
他の移動局から送信される基地局の通信状況に関する情報を取得するステップと、取得した前記基地局の通信状況に関する情報に基づいて、該基地局に対する位置登録要求の送信を制御するステップと、を含むことを特徴とする。
【発明の効果】
【００１４】
本発明の移動局、及び移動局の位置登録要求送信制御方法によれば、移動局が基地局に対して送信する位置登録要求を適切に制御することにより、位置登録によるトラヒックの増大を抑制することが可能となる。
【図面の簡単な説明】
【００１５】
【図１】本発明の一実施形態に係る移動局を含む通信システムの概略構成図である。
【図２】本発明の一実施形態に係る移動局を含む通信システムの動作を示すフローチャートである。
【発明を実施するための形態】
【００１６】
以下に、図面を参照しつつ、本発明の実施の形態について例示説明する。
図１は、本発明の一実施形態に係る移動局を含む通信システムの概略構成図である。本実施形態の通信システム１は、移動局３（3a,3b,3c）及び基地局５を含んで構成される。移動局３は、例えば携帯電話端末、ＰＨＳ端末、携帯情報端末等である。基地局５は、各移動局３と無線通信が可能な無線基地局であり、ネットワーク７を介してサーバ９に接続されている。図１においては、移動局３が３台、基地局５が1台ある例を示している。
【００１７】
移動局3aは、基地局５に対して位置登録が必要か否かを監視する。ここで、「位置登録が必要か否かを監視する」とは、例えば、基地局５から送信される各基地局５のエリア情報等に基づいて、位置登録が必要か否かを判断することをいう。また、移動局3aは、周囲の他の移動局3b、3cから送信される基地局５の通信状況に関する情報（以下、単に「通信情報」ともいう。）の取得の有無を監視する。
【００１８】
基地局５は、移動局３に対して自局が位置するエリア（例えば、ＰＨＳでは、ページングエリア）の情報を送信する。基地局５は、位置登録要求を送信した移動局３の情報（電話番号等）を、エリア情報に対応付けて、ネットワーク７を介してサーバ９に通知し、移動局３の位置登録を行う。そして、基地局５は、位置登録した移動局３に通信情報を送信する。
【００１９】
各移動局３は、第１通信部31、第２通信部33、制御部35、及び通信情報管理部37を備える。第１通信部31は、基地局５との間で、ＬＴＥ（Long Term Evolution）、ＷｉＭＡＸ（Worldwide Interoperability for Microwave Access）等の対応する通信方式により様々な信号及び情報を送受信するものであり、例えば、基地局５に対して位置登録要求を送信する。第２通信部33は、他の移動局３との間で、Ｄ２Ｄ（Device to Device）等の対応する通信方式により様々な信号及び情報を送受信するものであり、例えば、基地局５の通信情報を他の移動局３に対して送信する。なお、移動局３が、基地局５及び他の移動局３に対して共通の通信方式で通信可能な場合には、第１通信部31及び第２通信部33を統合して1つの通信部としてもよい。
【００２０】
制御部35は、移動局３の全体の動作を制御する。通信情報管理部37は、第１通信部31及び第２通信部33が受信した様々な情報を管理する。また、制御部35は、位置登録の必要有りと判断した時点で、他の移動局３からの基地局５の通信情報を受信していない場合にも、基地局５に対して位置登録要求の送信を行うよう制御する。
【００２１】
基地局５は、通信部51、制御部53及び通信情報管理部55を備える。通信部51は、移動局３との間で、対応する通信方式により様々な信号及び情報を送受信する。制御部53は、移動局３からの位置登録要求に応じて、ネットワーク７を介してサーバ９に当該移動局３の位置登録を行うよう制御する。通信情報管理部55は、無線リソースの空き容量を含む通信情報を管理する。制御部53は、必要に応じて通信情報管理部55から当該通信情報を取得する。また、制御部53は、上記の通信情報を、位置登録要求を送信してきた移動局３に対して通信部51を介して送信する。
【００２２】
以下に、図１の移動局3aによる、基地局５に対する位置登録要求の送信動作を、図２に示すフローチャートを用いて説明する。
【００２３】
移動局3aの制御部35は、第1通信部31で受信されるエリア情報等に基づいて、移動局位置を監視する（ステップＳ１）。また制御部35は、第２通信部33で受信される、周囲の他の移動局3b、3cからの通信情報の有無を監視する（ステップＳ２）。
【００２４】
移動局3aの制御部35は、ステップＳ１での監視に基づいて、位置登録が必要か否かを判断する（ステップＳ３）。制御部35は、例えば、第1通信部31で受信されるエリア情報によりエリア間の移動を検出した場合に、位置登録の必要有りと判断する。ステップＳ３において、位置登録の必要なしと判断した場合には、移動局3aは位置登録要求を行わず、処理が終了する。
【００２５】
ステップＳ３において、位置登録の必要有りと判断した場合には、制御部35は、第２通信部33で受信される他の移動局3b、3cからの通信情報を受信（取得）しているか否かを判断する（ステップＳ４）。通信情報には、基地局５の無線リソースの空き容量に関する情報が含まれる。
【００２６】
ステップＳ４において、通信情報を受信（取得）している場合には、制御部35は、さらに当該通信情報に含まれる基地局５の無線リソースの空き容量が多いか否かを判断する（ステップＳ５）。この制御部35における判断は、例えば、無線リソースの空き容量が一定量（所定値）以上か否かで判断する。一方、ステップＳ４において、通信情報を受信していない場合には、制御部35は、基地局５に対して位置登録要求を送信するよう制御する（ステップＳ７）。
【００２７】
ステップＳ５において、上記空き容量が多いと判断した場合には、制御部35は、基地局５に対して位置登録要求を送信するよう制御する（ステップＳ７）。一方、ステップＳ５において、空き容量が少ないと判断した場合には、その時点で基地局５に対して位置登録要求を送信せずに、ステップＳ２と同様に他の移動局3b、3cから送信される通信情報の有無を監視する（ステップＳ６）。すなわち、移動局3aは、位置登録の必要有りと判断した場合、他の移動局3b、3cから送信される通信情報を受信しなくなるか、又は、基地局５の無線リソースの空き容量が多いという情報を他の移動局3b、3cから受信するまで、位置登録要求の送信を停止する。
【００２８】
そして移動局3aは、基地局５に対して位置登録要求を送信した場合には、基地局５から送信される通信情報を受信（取得）する（ステップＳ８）。
【００２９】
最後に移動局3aは、基地局５から取得した通信情報を周囲の他の移動局3b、3cに対して送信する（ステップＳ９）。そして処理が終了する。
【００３０】
以上のような本実施形態の移動局３及び移動局の位置登録要求送信制御方法によれば、基地局５と通信可能な移動局３が、他の移動局３から送信される前記基地局５の通信情報を取得し、取得した基地局５の通信情報に基づいて、該基地局５に対する位置登録要求の送信を制御することで、多数の移動局３から基地局５に対して一斉に位置登録要求が送信されることを防止して、位置登録によるトラヒックの増大を抑制することが可能となる。また、基地局５の通信状況に応じた位置登録要求を行うことで、移動局３が位置登録要求を送信した場合には確実に位置登録が行われるため、移動局３からの無駄な位置登録要求の送信をなくすことが可能となる。
【００３１】
また、移動局３の制御部35が、基地局５の無線リソースの空き容量に関する情報に基づいて、位置登録要求の送信を制御することで、空き容量が少ない場合には位置登録要求を送信せず、空き容量が十分に確保されている場合に位置登録要求を送信するため、より確実にトラヒックの増大を抑制することができる。
【００３２】
また、移動局３の制御部35は、他の移動局３から基地局５の通信情報を取得していない場合、または他の移動局３から取得した通信情報から無線リソースの空き容量が多いと判断した場合には、直ちに位置登録要求の送信を行うことができるので、位置登録にかかる時間を短縮することができる。
【００３３】
また、移動局３の制御部35は、基地局５から、基地局５の通信情報を取得した場合、他の移動局３に対して基地局５の通信情報を送信することで、他の移動局３もまた、基地局５の通信状況に応じた位置登録要求の送信制御が可能となり、位置登録によるトラヒックの増大を抑制することが可能となる。
【００３４】
本発明を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各機能ブロック、ステップ等に含まれる機能等は論理的に矛盾しないように再配置可能であり、複数の機能ブロック、ステップ等を１つに組み合わせたり、或いは分割したりすることが可能である。
【符号の説明】
【００３５】
１  通信システム
３（3a,3b,3c）  移動局
５  基地局
７  ネットワーク
９  サーバ
31  第１通信部
33  第２通信部
35  制御部
37  通信情報管理部
51  通信部
53  制御部
55  通信情報管理部
【図１】
2014165537.tif 000003
【図２】
2014165537.tif 000004